(57)【特許請求の範囲】
【請求項１】
上部、下部及び中心部を有する本体であって、前記中心部は前記上部と前記下部との間に位置付けられる、本体と、
前記本体の前記中心部に枢動可能に結合されたゲートであって、前記ゲート及び本体は、フック接続通路を画定する閉じた構成、及び前記フック接続通路へのアクセスをもたらす開いた構成を選択的に形成する、ゲートと、
上端部及び下端部を有する接続リンクであって、前記接続リンクの前記上端部は前記本体の前記中心部の中心枢動点に枢動可能に結合され、前記接続リンクの前記下端部は本体接続孔を含む、接続リンクと、
前記本体の前記下部に前記接続リンクの前記下端部を結合している破断可能締結具であって、選択量の力が前記接続リンクの前記下端部に加わると破断し、前記接続リンクが前記中心枢動点の周りで前記本体に対して枢動することを可能にする、破断可能締結具と、を備える、スナップフック。
【請求項２】
上部、下部及び中心部を有する本体であって、前記中心部は前記上部と前記下部との間に位置付けられる、本体と、
前記本体の前記中心部に枢動可能に結合されたゲートであって、前記ゲート及び本体は、フック接続通路を画定する閉じた構成、及び前記フック接続通路へのアクセスをもたらす開いた構成を選択的に形成する、ゲートと、
前記閉じた構成において前記ゲートを前記本体に対して選択的に保持するためのロック部材と、
前記本体内に部分的に受容されて前記本体に結合された少なくとも１つのトリガであって、前記ロック部材を、前記閉じた構成において前記ゲートを前記本体に対して保持することから解放するように構成された少なくとも１つのトリガと、
上端部及び下端部を有する接続リンクであって、前記接続リンクの前記上端部は前記本体の前記中心部の中心枢動点に枢動可能に結合され、前記接続リンクの前記下端部は本体接続孔を含み、前記接続リンクは、前記少なくとも１つのトリガを偶発的な作動から防護するように位置付けられている、接続リンクと、を備える、スナップフック。
【請求項３】
上部、下部及び中心部を有する本体であって、前記中心部は前記上部と前記下部との間に位置付けられる、本体と、
前記本体の前記中心部に枢動可能に結合されたゲートであって、前記ゲート及び本体は、フック接続通路を画定する閉じた構成、及び前記フック接続通路へのアクセスをもたらす開いた構成を選択的に形成する、ゲートと、
前記ゲートを前記本体に対して選択的に保持するために前記ゲートに動作的に結合されたロックリンクと、
前記ロックリンクを操作するために前記本体内に部分的に受容されて前記本体に結合された少なくとも１つのトリガと、
上端部及び下端部を有する接続リンクであって、前記接続リンクの前記上端部は前記本体の前記中心部の中心枢動点に枢動可能に結合され、前記接続リンクの前記下端部は本体接続孔を含み、前記接続リンクは、前記少なくとも１つのトリガを防護するように位置付けられている、接続リンクと、
前記本体の前記下部に前記接続リンクの前記下端部を結合している破断可能締結具であって、選択量の力を受けて破断し、前記接続リンクが前記中心枢動点の周りで前記本体に対して枢動することを可能にするように構成されている、破断可能締結具と、を備える、スナップフック。
【発明の詳細な説明】
【背景技術】
【０００１】
様々な職業において、人々は比較的危険な高さにおける不安定な位置に身を置くことになる。そのため、落下防護又は落下阻止安全装置の必要性が生じる。とりわけ、そのような装置は通常、支持構造体と、支持構造体の近傍で作業する人が装着するセーフティハーネスとの間のセーフティライン相互接続を含む。様々な構成要素を接続するために、スナップフックが一般的に使用されている。スナップフックはその機能を失敗なく提供する必要がある。
【０００２】
前述の理由のために、及び本明細書を読んで理解することで当業者に明らかになるであろう、後述する他の理由のために、当技術分野においては、改善された効果的なスナップフックが必要とされている。
【発明の概要】
【０００３】
現在のシステムの上述の問題は本発明の諸実施形態によって対処され、以下の明細書を読んで学ぶことによって理解されるであろう。以下の概要は、限定としてではなく、例として示される。それは、単に、読者が本発明の態様のいくつかを理解する助けとなるように提供されているにすぎない。
【０００４】
一実施形態では、スナップフックが提供される。スナップフックは、本体と、ゲートと、接続リンクと、破断可能締結具とを含む。本体は、上部、下部及び中心部を有する。中心部は上部と下部との間に位置付けられる。ゲートは本体の中心部の近傍において枢動可能に結合されている。ゲート及び本体は、フック接続通路を画定する閉じた構成、及びフック接続通路へのアクセスをもたらす開いた構成を選択的に形成する。接続リンクは上端部及び下端部を有する。接続リンクの上端部は本体の中心部の近傍において枢動可能に結合されている。接続リンクの下端部は本体接続孔を含む。破断可能締結具は本体の下部の近傍において接続リンクの下端部を結合している。破断可能締結具は、選択量の力が接続リンクの下端部に加わると破断し、力が本体の下部から本体の中心部へと移るように構成されている。
【０００５】
別の実施形態では、別のスナップフックが提供される。スナップフックは、本体と、ゲートと、ロック部材と、少なくとも１つのトリガと、接続リンクとを含む。本体は、上部、下部及び中心部を有する。中心部は上部と下部との間に位置付けられる。ゲートは本体の中心部の近傍において枢動可能に結合されている。ゲート及び本体は、フック接続通路を画定する閉じた構成、及びフック接続通路へのアクセスをもたらす開いた構成を選択的に形成する。ロック部材は、閉じた構成においてゲートを本体に対して選択的に保持する。少なくとも１つのトリガは、ロック部材を、閉じた構成においてゲートを本体に対して保持することから解放するように構成され、配置されている。接続リンクは上端部及び下端部を有する。接続リンクの上端部は本体の中心部の近傍において枢動可能に結合されている。接続リンクの下端部は本体接続孔を含む。接続リンクは、少なくとも１つのトリガを偶発的な作動から防護するように位置付けられている。
【０００６】
更に別の実施形態では、別のスナップフックが提供される。本実施形態のスナップフックは、本体と、ゲートと、接続リンクと、破断可能締結具とを含む。本体は、上部、下部及び中心部を有する。中心部は上部と下部との間に位置付けられる。ゲートは本体の中心部の近傍において枢動可能に結合されている。ゲート及び本体は、フック接続通路を画定する閉じた構成、及びフック接続通路へのアクセスをもたらす開いた構成を選択的に形成する。ロックリンクはゲートに動作的に結合されている。少なくとも１つのトリガが、ロックリンクを操作するために結合されている。接続リンクは上端部及び下端部を有する。接続リンクの上端部は本体の中心部の近傍において枢動可能に結合されている。接続リンクの下端部は本体接続孔を含む。接続リンクは、少なくとも１つのトリガを防護するように位置付けられている。破断可能締結具は本体の下部の近傍において接続リンクの下端部を結合している。破断可能締結具は、選択量の力を受けて破断し、接続リンクが本体の中心部の近傍において本体に対して枢動することを可能にするように構成されている。
【図面の簡単な説明】
【０００７】
詳細な説明と以下の図面に照らして考慮することで、本発明はより容易に理解することができ、その更なる利点及び利用法がより分かりやすくなるであろう。
【０００８】
【図１Ａ】本発明の一実施形態のスナップフックの第１の側面斜視図である。
【０００９】
【図１Ｂ】図１Ａのスナップフックの第２の側面斜視図である。
【００１０】
【図２Ａ】図１Ａのスナップフックの正面図である。
【００１１】
【図２Ｂ】図１Ａのスナップフックの背面図である。
【００１２】
【図３】図１Ａのスナップフックの部分的に分解されている側面斜視図である。
【００１３】
【図４】接続フックの枢動機能を示す図１Ａのスナップフックの側面斜視図である。
【００１４】
【図５】図１Ａの部分的なスナップフックの側面斜視図である。
【００１５】
【図６Ａ】閉じた構成における図１Ａの部分的なスナップフックの側面図である。
【００１６】
【図６Ｂ】ロック解除プロセスの開始時における図６Ａの部分的なスナップフックの側面図である。
【００１７】
【図６Ｃ】スナップフックが開いた構成になっている状態の、図６Ａにおける部分的なスナップフックの側面図である。
【００１８】
【図６Ｄ】開いた構成における図１Ａのスナップフックの側面斜視図である。
【００１９】
【図７】落下事象が発生した後の図１Ａのスナップフックの正面斜視図である。
【００２０】
慣例により、様々な上述の特徴は原寸に比例して描かれておらず、本発明に関連する特定の特徴を強調するように描かれている。参照文字は図及び本文全体を通じて同様の要素を表す。
【発明を実施するための形態】
【００２１】
以下の発明を実施するための形態では、本明細書の一部を構成する添付の図面を参照し、本発明を実施することができる特定の実施形態を例として示す。これらの実施形態は、当業者が本発明を実施することを可能にするために十分に詳細に説明されているが、他の実施形態を利用することもでき、本発明の趣旨及び範囲から逸脱することなく、変更を加えることができることを理解されたい。したがって、以下の詳細な説明は、限定的な意味で解釈されるべきではなく、本発明の範囲は、請求項及びそれらの等価物によってのみ定義される。
【００２２】
本発明の諸実施形態は、スナップフックであって、最初はスナップフックの底部の方に向かっている力を、より中心の枢動点へ向け直すことによって、落下事象の際のフック本体への曲げ応力を低減する枢動接続リンクを含むスナップフックを提供する。一実施形態では、接続リンクは、限定するものではないが、落下事象の際に生じる力などの、選択量の力が生じた時に変形可能である材料から作製される。変形はエネルギーを吸収し、スナップフックが特定のレベルの力にさらされ、再び使用されるべきではないことを示すために用いられる。別の実施形態では、接続リンクが、スナップフックを接続したり切り離したりしている間ユーザの手を保護するための用心金として用いられる。更に、一実施形態では、用心金は、トリガ機構を、偶発的に作動させられないように更に保護する。別の実施形態では、スナップフックは、スナップフックが引張張力を受けている間におけるフックの耐力を高める、インターロックゲート・ノーズ幾何構成を含む。
【００２３】
図１Ａ〜図３に鑑みて、スナップフック１００の一実施形態の詳細な説明が本明細書において提供される。スナップフック１００は、上部１２５ａ、下部１２５ｂ、及び上部１２５ａと下部１２５ｂとの間に位置付けられた中心部１２５ｃを有する本体１２５を含む。本体１２５は、第１の本体プレート１０２、第２の本体プレート１１２、ノーズリンク１４０及びベース部材１３０を含む。第１の本体プレート１０２及び第２の本体プレート１１２はスナップフック１００の内部構成要素を保護する。第１の本体プレート１０２は概ねＥ字形状を有する。第１の本体プレート１０２は、上端部１０２ａ、及び対向して位置付けられた下端部１０２ｂ、並びに前方側部１０２ｃ、及び対向して位置付けられた後方側部１０２ｄを有する。第１の本体プレート１０２の前方側部１０２ｃ及び後方側部１０２ｄはそれぞれ、上端部１０２ａから下端部１０２ｂまで延在する。第１の本体プレート１０２は、上端部１０２ａと下端部１０２ｂとの間に位置付けられた中央部１０２ｅを更に有する。第１の本体プレート１０２は、第１の本体プレート１０２の前方側部１０２ｃに向かって延在する第１の本体プレート１０２の上端部１０２ａに位置付けられた上部アーム１０４ａを含む。上部アーム１０４ａは、一対の離間配置された接続孔１０６ａ及び１０６ｂを含む。第１の本体プレート１０２はまた、第１の本体プレート１０２の前方側部１０２ｃに向かって延在する第１の本体プレート１０２の下端部１０２ｂに位置付けられた下部アーム１０４ｂを含む。下部アーム１０４ｂは、ヒューズ孔１０８ａ及び接続孔１０８ｂを含む。接続孔１０８ｂはヒューズ孔１０８ａから離間配置されている。
【００２４】
第１の本体プレート１０２は、第１の本体プレート１０２の上端部１０２ａと下端部１０２ｂとの間において、概ね中心のロケーションにおいて第１の本体プレート１０２の前方側部１０２ｃから延在する中央アーム１０４ｃを更に含む。中央アーム１０４ｃの末端部の近傍にあるのは、スナップフック１００の中心ロケーションの近傍に位置付けられた枢支孔１０９である。中央アーム１０４ｃはロック解除スロット１１０を更に含む。本実施形態におけるロック解除スロット１１０は若干の湾曲を有する。第１の本体プレート１０２の中央部１０２ｅ内において中央アーム１０４ｃの近傍にあるのは、接続孔１０３及びトリガ孔１０７である。更に、第１の本体プレート１０２は、第１の本体プレート１０２の中央部１０２ｅの近傍において第１の本体プレート１０２の後方側部１０２ｄから延在する延出タブ１０５を含む。
【００２５】
第２の本体プレート１１２は、本実施形態における第１の本体プレート１０２の鏡像である。第２の本体プレート１１２は、上端部１１２ａ、及び対向して位置付けられた下端部１１２ｂ、並びに前方側部１１２ｃ、及び対向して位置付けられた後方側部１１２ｄを有する。第２の本体プレート１１２の前方側部１１２ｃ及び後方側部１１２ｄはそれぞれ、上端部１１２ａから下端部１１２ｂまで延在する。第２の本体プレート１１２は、上端部１１２ａと下端部１１２ｂとの間に位置付けられた中央部１１２ｅを更に有する。第２の本体プレート１１２は、第２の本体プレート１１２の前方側部１１２ｃに向かって延在する第２の本体プレート１１２の上端部１１２ａに位置付けられた上部アーム１１４ａを含む。上部アーム１１４ａは、一対の離間配置された接続孔１１６ａ及び１１６ｂを含む。第１の本体プレート１１２はまた、第２の本体プレート１１２の前方側部１１２ｃに向かって延在する第２の本体プレート１１２の下端部１１２ｂに位置付けられた下部アーム１１４ｂを含む。下部アーム１１４ｂは、ヒューズ孔１１８ａ及び接続孔１１８ｂを含む。接続孔１１８ｂはヒューズ孔１１８ａから離間配置されている。
【００２６】
第２の本体プレート１１２は、第２の本体プレート１１２の上端部１１２ａと下端部１１２ｂとの間において、概ね中心のロケーションにおいて第２の本体プレート１１２の前方側部１１２ｃから延在する中央アーム１１４ｃを更に含む。中央アーム１１４ｃの末端部の近傍にあるのは、スナップフック１００の中心ロケーションの近傍に位置付けられた枢支孔１１９である。中央アーム１１４ｃはロック解除スロット１２０を更に含む。本実施形態におけるロック解除スロット１２０は若干の湾曲を有する。第２の本体プレート１１２の中央部１１２ｅ内において中央アーム１１４ｃの近傍にあるのは、接続孔１１３及びトリガ孔１１７である。更に、第２の本体プレート１１２は、第２の本体プレート１１２の中央部１１２ｅの近傍において第２の本体プレート１１２の後方側部１１２ｄから延在する延出タブ１１５を含む。
【００２７】
スナップフック１００はベース部材１３０を更に含む。ベース部材１３０は、上端部１３０ａ、及び対向して位置付けられた下端部１３０ｂを含む。ベース部材１３０の上端部１３０ａと下端部１３０ｂとの間にあるのは、中央部１３０ｃである。ベース部材１３０は、前方側部１３０ｄ、及び対向して位置付けられた後方側部１３０ｅを更に含む。上端部１３０ａに結合されているのは、ノーズリンク１４０である。具体的には、ノーズリンク１４０、及びベース部材１３０の上端部１３０ａを貫通する通路１４１及び１４３内に受容された締結具１５０及び１５１（限定するものではないが、リベットなど）が、ノーズリンク１４０をベース部材１３０に結合している。更に、第１の本体プレート１０２の上部アーム１０４ａ及び第２の本体プレート１１２の上部アーム１１４ａは、接続孔１０６ａ、１０６ｂ、１１６ａ及び１１６ｂがノーズリンクの通路１４１及び１４３と整列した状態で、ノーズリンク１４０内に位置付けられている。通路１４１及び１４３並びに接続孔１０６ａ、１０６ｂ、１１６ａ及び１１６ｂ内に受容された締結具１５０及び１５１が、第１の本体プレート１０２、ノーズリンク１４０、ベース部材１３０及び第２の本体プレート１１２を一体に結合している。ノーズリンク１４０は、ベース部材１３０の前方側部１３０ｄからベース部材１３０の上端部１３０ａから延在する。ノーズリンク１４０は、ノーズリンク１４０の一対の末端アーム端部１４４ａ及び１４４ｂ内にそれぞれ位置付けられた一対の整列した離間配置された保持通路１５２ａ及び１５２ｂを更に含む。ノーズリベット止め１５５が、ノーズリンク１４０の整列した離間配置された保持通路１５２ａ及び１５２ｂ内に受容されている。ベース部材１３０は、ベース部材１３０の下端部１３０ｂから延出する下部アーム１３２を更に含む。ベース部材１３０の下端部１３０ｂはベース前部枢支通路１５６を含む。ベース部材１３０の中央部１３０ｃは、前方側部１３０ｄから後方側部１３０ｅまで延在する後部トリガスロット１３６を含む。整列したベース枢支通路１５７ａ及び１５７ｂがベース部材１３０の中央部１３０ｃを貫通して延在する。
【００２８】
後部トリガ１６０がベース部材１３０の後部トリガスロット１３６内に部分的に受容されている。後部トリガ１６０は、一実施形態では、概ね反転Ｃ字形状である。後部トリガ１６０は、上側後部トリガ端部１６０ａ、及び対向して位置付けられた下側後部トリガ端部１６０ｂを含む。後部トリガ１６０は、上側後部トリガ端部１６０ａと下側後部トリガ端部１６０ｂとの間に位置付けられた中央部１６０ｃ、並びに前方側部１６０ｄ、及び対向して位置付けられた後方側部１６０ｅを更に含む。後部トリガ１６０は、前方側部１６０ｄから上側後部トリガ端部１６０ａから延在する上部アーム１６２、及び前方側部１６０ｄから下側後部トリガ端部１６０ｂから延在する下部アーム１６４を更に有する。加えて、後部トリガ１６０は、後部トリガ１６０の中央部及び上側後部トリガ端部１６０ａの付近に配置された後部トリガ枢支接続孔１６５を有する。後部トリガ枢支接続孔１６５は、ベース部材１３０の中央部１３０ｃを貫通して延在する整列したベース枢支通路１５７ａ及び１５７ｂと整列している。後部トリガ枢支締結具１５９が、後部トリガ枢支接続孔１６５、並びに整列したベース枢支通路１５７ａ及び１５７ｂ内に受容され、後部トリガ１６０をベース部材１３０に枢動可能に結合している。
【００２９】
離間配置された並列の鏡像の前部トリガプレート１７０ａ及び１７０ｂを有する前部トリガ１７０がスナップフック１００の一部となっている。前部トリガ１７０は、上端部１７２ａ、及び対向して位置付けられた下端部１７２ｂを含む。前部トリガ１７０は、前方側部１７２ｃ及び後方側部１７２ｄを更に含む。前方側部１７２ｃは、前部トリガプレート１７０ａ及び１７０ｂを一体に接続する係合接続プレート１７２ｅを含む。図示されている実施形態におけるトリガの前方側部１７２ｃは、その作動時にユーザを補助するための人間工学的形状を有する。前部トリガ１７０は、後方側部１７２ｄから、前部トリガ１７０の中央部１７２ｆの近傍において延在する案内タブ１７４ａ及び１７４ｂを含む。前部トリガ１７０の後方側部１７２ｄ内の案内タブ１７４ａ及び１７４ｂの直下に、前部トリガ付勢部材１７８の第１の端部と係合するように設計された付勢受座切り欠き１７６ａ及び１７６ｂが配置されている。更に、前部トリガ１７０の上端部１７２ａの近傍にあるのは、前部トリガプレート１７０ａ及び１７０ｂの両方を貫通する第１の接続通路１７３である。更に、前部トリガ１７０の下端部１７２ｂの付近に配置された枢支通路１７５が前部トリガプレート１７０ａ及び１７０ｂの両方を貫通する。
【００３０】
スナップフック１００はゲート１８０を更に含む。本実施形態におけるゲート１８０は、離間配置された並列の鏡像のゲートプレート１８１ａ及び１８１ｂを含む。ゲート１８０は、上端部１８０ａ、及び対向して位置付けられた下端部１８０ｂを含む。ゲート１８０は、前方側部１８０ｃ及び後方側部１８０ｄを更に含む。前方側部１８０ｃは、（図１Ｂにおいて最もよく分かるように）ゲートプレート１８１ａ及び１８１ｂを一体に接続する接続プレート１８１ｃを含む。ゲート１８０は、前方側部１８０ｃからゲート１８０内へ選択距離、延在するゲートスロット１８３を含む。更に、ゲートスロット１８３はゲート１８０の上端部１８０ａの近傍において配置されている。ゲートスロットは、スナップフック１００が閉じた構成になっている時には、ノーズリンク１４０に結合されたノーズリベット止め１５５を受容するように設計されている。ゲートスロット１８３内に受容されたノーズリベット止め１５５は、ノーズリンク１４０の近傍においてゲート１８０をインターロックする接続を提供する。これは、荷重のいくらかをベース部材１３０からゲート１８０及び中心リベット２３４へ配分することによって、スナップフック１００が張力を受けている間におけるスナップフック１００の耐力を改善する。ゲート１８０はまた、ゲートプレート１８１ａ及び１８１ｂを貫通するゲート枢支孔経路１８５を含む。ゲート１８０は、ゲート１８０の中央部１８０ｅ内に配置された、離間配置された孔経路１８７及び１８９を更に含む。
【００３１】
スナップフック１００はまた、閉じた構成においてゲート１８０を本体に対してロックするためのロック部材を含む。本実施形態におけるロック部材はロックリンク１９０を含む。ロックリンク１９０は、前端部１９０ａ、及び対向して位置付けられた後端部１９０ｂを含む。ロックリンク１９０はまた、上端部１９０ｃ、及び対向して位置付けられた下端部１９０ｄを含む。ロックリンク１９０は、ロックリンク１９０の前端部１９０ａの近傍における第１のロックリンク孔１９５、及びロックリンク１９０の後端部１９０ｂの近傍における第２のロックリンク孔１９３を含む。ロックリンク１９０は、ロックリンク１９０の後端部１９０ｂから延在する一対の離間配置されたロックリンクアーム１９１ａ及び１９１ｂを更に含む。
【００３２】
最後に、スナップフック１００は接続リンク２００を含む。接続リンク２００は、上端部２０２ａ、及び対向して位置付けられた下端部２０２ｂを含む。接続リンク２００は、前方側部２０２ｃ、及び対向して位置付けられた後方側部２０２ｄを更に含む。接続リンク２００は、接続リンク２００の上端部２０２ａの近傍に位置付けられた接続孔２０５を含む。接続リンク２００は、下端部２０２ｂの付近に位置付けられた接続部２０４を含む。接続部２０４は接続リンク２００の後方側部２０２ｄから延出する。接続部２０４は、命綱又は同様のもの（図示されていない）をスナップフック１００に接続するための本体接続孔２０３を含む。接続部２０４は、図３に示されるように接続部２０４を貫通するヒューズ孔経路２０６の一部であるヒューズ孔２０７（図７において最もよく分かる）を更に含む。ヒューズ孔経路２０６の両側に位置付けられているのは、第１のスペーサ２１３ａ及び第２のスペーサ２１３ｂである。スペーサ２１３ａ及び２１３ｂは、本実施形態におけるヒューズ孔経路２０６の一部を形成する孔を含む。スナップフック１００は、以下において更に説明される前部トリガ付勢部材１７８及び後部トリガ付勢部材２１０を更に含む。位置付けられているとおりの接続リンク２００は、（図１Ａにおいて最もよく図解されているように）用心金保護組立体を更に提供する。すなわち、接続リンク２００は、スナップフック１００を構造物（図示されていない）に対して接続したり切り離したりしている間、ユーザの手（図示されていない）を保護する。それはまた、前部トリガ１７０が偶発的に作動させられることも防止する。
【００３３】
構成要素の組み立ての更なる説明が本明細書において提供される。第１の本体プレート１０２のヒューズ孔１０８ａ、接続リンク２００のヒューズ孔経路２０６、及び第２の本体プレート１１２のヒューズ孔１１８ａは整列している。限定するものではないが、ヒューズピン２２０などの破断可能締結具が、第１の本体プレート１０２のヒューズ孔１０８ａ、接続リンク２００のヒューズ孔経路２０６、及び第２の本体プレート１１２のヒューズ孔１１８ａ内に位置付けられている。ヒューズピン２２０は、選択量の力を受けて破断するように設計されている。前部トリガ１７０の前部トリガプレート１７０ａ及び１７０ｂは、前部トリガ１７０の枢支通路１７５がベース部材１３０の枢支通路１５６と整列するよう、ベース部材１３０の下部アーム１３２を囲むように位置付けられている。更に、第１の本体プレート１０２の接続孔１０８ｂ及び第２の本体プレート１１２の接続孔１１８ｂは、前部トリガ１７０の枢支通路１７５及びベース部材１３０の枢支通路１５６と整列している。リベット２２２が、第１の本体プレート１０２の接続孔１０８ｂ、第２の本体プレート１１２の接続孔１１８ｂ、前部トリガ１７０の枢支通路１７５、及びベース部材１３０の枢支通路１５６内に位置付けられている。前部トリガ１７０はリベット２２２上で枢動する。更に、第１の本体プレート１０２の接続孔１０３は第２の本体プレート１１２の接続孔１１３と整列している。リベット２３０が、第１の本体プレート１０２の接続孔１０３及び第２の本体プレート１１２の接続孔１１３内に位置付けられ、第１の本体プレート１０２を第２の本体プレート１１２に結合している。
【００３４】
第１の本体プレート１０２のロック解除スロット１１０は、前部トリガ１７０の第１の接続通路１７３、ロックリンク１９０の第２のロックリンク孔１９３、及び第２の本体プレート１１２のロック解除スロット１２０と整列している。ロックリベット２３２が、第１の本体プレート１０２のロック解除スロット１１０、前部トリガ１７０の第１の接続通路１７３、ロックリンク１９０の第２のロックリンク孔１９３、及び第２の本体プレート１１２のロック解除スロット１２０内に位置付けられている。締結具部材２３３がロックリベット２３２の端部に結合され、ロックリベット２３２を、第１の本体プレート１０２のロック解除スロット１１０、前部トリガ１７０の第１の接続通路１７３、ロックリンク１９０の第２のロックリンク孔１９３、及び第２の本体プレート１１２のロック解除スロット１２０内に保持する。接続リンク２００の上端部２０２ａは、接続リンク２００の接続孔２０５がゲート１８０のゲート枢支孔経路１８５と整列するように、ゲートプレート１８１ａ及び１８１ｂの間に受容されている。第１の本体プレート１０２の枢支孔１０９は、ゲート１８０のゲート枢支孔経路１８５、接続リンク２００の接続孔２０５、及び第２の本体プレート１１２の枢支孔１１９と整列している。中心リベット２３４が、第１の本体プレート１０２の枢支孔１０９、ゲート１８０のゲート枢支孔経路１８５、接続リンク２００の接続孔２０５、及び第２の本体プレート１１２の枢支孔１１９内に位置付けられ、接続リンク２００を第１の本体プレート１０２及び第２の本体プレート１１２に枢動可能に結合している。ロックリンク１９０の前端部１９０ａの一部分は、ロックリンク１９０の第１のロックリンク孔１９５がゲート１８０の孔経路１８９と整列するように、ゲート１８０のゲートプレート１８１ａと１８１ｂとの間に受容されている。ゲートリベット２３８が、ロックリンク１９０の第１のロックリンク孔１９５及びゲート１８０の孔経路１８９内に受容され、ゲート１８０をロックリンク１９０に回転可能に結合している。更に、リベット２３６がゲート１８０の孔経路１８７内に受容されている。
【００３５】
図４は、ヒューズピン２２０（図４に示されていない）が破断すると、接続リンク２００が中心リベット２３４の周りで枢動することを示す。すなわち、たとえ、ヒューズピン２２０が破断しても、本体接続孔２０３を介してランヤード（図示されていない）に接続されているであろうコネクタリンク２００が、スナップフック１００が接続されているものが何であれ、ユーザをそれに依然として接続していることになる。この設計の利点の１つは、落下事象の間に生じる力がスナップフック１００の底部（下部）の近傍から（中心リベット２３４の周りの）中心枢動点へ向け直されるため、スナップフックの本体（ベース部材１３０、第１の本体プレート１０２及び第２の本体プレート１１２を含む）が落下事象の間に受ける応力が少なくなることである。
【００３６】
図５を参照すると、一実施形態においてスナップフック１００の構成要素がどのように組み立てられるのかを示すことを助けるための、スナップフック１００の部分側面図が提供されている。図５では、第１の本体プレート１０２は図解の目的のために取り除かれている。図５におけるスナップフック１００の構成は、ゲート１８０が閉じられ、スナップフックが閉じた構成になっている状態で示されている。この構成では、スナップフック１００は、支持デバイス（図示されていない）を、ゲート１８０、及びスナップフック１００の本体によって画定されたフック接続通路２５０内に保持することができる。図示のように、後部トリガ１６０はベース部材１３０の後部トリガスロット１３６内に位置付けられ、後部トリガ枢支締結具１５９を介してベース部材１３０に枢動可能に結合されている。上部アーム１６２は、図示されているとおりの閉じた構成では、ロックリンク１９０と係合している。後部トリガ１６０の下部アーム１６４は、案内タブ１７４ａと１７４ｂとの間に選択的に受容されるように位置付けられている。この配置は、後部トリガ１６０及び前部トリガ１７０の、それらの作動中における適切な整列を維持する。後部トリガ付勢部材２１０は、リベット２３０に結合された第１の端部２１０ａ、及び後部トリガ１６０のロックタブ１６１の付勢孔１６３内に係合した第２の端部２１０ｂを有する。後部トリガ付勢部材２１０は後部トリガ１６０に対する付勢力を提供し、後部トリガ１６０をロックリンク１９０と係合した状態に維持し、スナップフック１００を、図５に示されるとおりの閉じた構成に維持する。図５に更に示されるように、前部トリガ１７０の下端部１７２ｂはリベット２２２を介してベース部材１３０の下部アーム１３２に枢動可能に結合されている。前部トリガ１７０の上端部１７２ａはロックリベット２３２を介してロックリンク１９０に枢動可能に結合されている。ロックリベット２３２が、第１の本体プレート１０２（図５に示されていない）内のロック解除スロット１１０、及び第２の本体プレート１１２内の整列したロック解除スロット１２０内に乗っている。前部トリガ付勢部材１７８は、前部トリガ１７０の付勢受座切り欠き１７６ａ及び１７６ｂと係合する第１の端部１７８ａ、並びにベース部材１３０と係合する第２の端部１７８ｂを含む。前部トリガ付勢部材１７８は前部トリガ１７０に付勢力を行使し、それにより、前部トリガ１０７の上端部１７２ａに結合されたロックリベット２３２はそれぞれのロック解除スロット１１０及び１２０の前部の方に位置付けられている。この位置では、ロックリンク１９０はゲート１８０を閉鎖状態にロックし、スナップフックは閉じた構成になっている。更に図示されているように、ロックリンク１９０の前端部１９０ａはゲートリベット２３８を介してゲート１８０に枢動可能に結合されている。ロックリンク１９０は、スナップロック１００が閉じた構成になっている時には、ゲート１８０が枢軸２３４の周りで枢動して開くのを防止する。
【００３７】
図６Ａ〜図６Ｃに示される部分的なスナップフックは、スナップフック１００の構成要素のうちのいくつかが、ゲート１８０を開くためにどのように協動するのかを示す。図６Ａは部分的なスナップフック１００の側面図を示す。この図では、第１の本体プレート１０２及び前部トリガ１７０は両方とも図解の目的のために取り除かれている。この図では、後部トリガ１６０の上部アーム１６２はロックリンク１９０と係合し、ロックリンク１９０が移動するのを防止する。上述されたように、ロックリンク１９０が今度はゲート１８０に結合されている。それゆえ、ゲート１８０はこの構成では移動することができず、スナップフック１００は閉じた構成でロックされている。図６Ｂは、後部トリガ１６０がベース本体１３０の後部トリガスロット１３６内へ押下されている様子を示す。この作用は後部トリガ１６０をその内部の後部トリガ枢支締結具１５９の周りで枢動させ、後部トリガの上部アーム１６２がロックリンク１９０から外れることを可能にする。この作用により、ロックリンク１９０が移動できるようになる。具体的には、この作用は、ロックリベット２３２が第１の本体プレート１０２及び第２の本体プレート１１２のロック解除スロット１１０及び１２０内で移動することを可能にする。ロックリベット２３２に同様に結合された前部トリガ１７０（図６Ｂに示されていない）は、ロックリベットを第１の本体プレート１０２及び第２の本体プレート１１２のそれぞれのスロット１１０及び１２０内で移動させる。前部トリガ１７０を移動させるために、図５において最もよく分かるように、ユーザは、ユーザの手のひらが後部トリガ１６０を押下している間に、指で前部トリガ１７０を握り、前部トリガ１７０をベース部材１３０の方へ引く。前部トリガ１７０を引くことで、前部トリガをリベット２２２の周りで枢動させ、ロックリベット２３２をそれぞれの第１の本体プレート１０２及び第２の本体プレート１１２のロック解除スロット１１０及び１２０内で移動させる。図６Ｃは、第１の本体プレート１０２及び第２の本体プレート１１２それぞれのロック解除スロット１１０及び１２０内で移動させられた後のロックリベット２３２の位置を示す。ロックリンク１９０がゲートリベット２３８を介してロックリベット２３２及びゲート１８０の両方に結合されているため、ゲート１８０は中心リベット２３４の周りで枢動し、ゲート１８０のゲートスロット１８３はノーズリンク１４０内のノーズリベット止め１５５から外れ、スナップフック１００のフック接続通路２５０への開いた経路を提供する。これは、スナップフック１００の開いた構成である。図６Ｄの側面斜視図に、スナップフック１００の開いた構成が更に示されている。図示のように、ゲート１８０は、第１の本体プレート１０２と第２の本体プレート１１２との間に位置付けられるように、中心リベット２３４の周りで回転させることができる。更に、ゲート１８０は第１の本体プレート１０２及び第２の本体プレート１１２と完全に面一になる。それゆえ、スナップフック１００のフック接続通路２５０への開口部は滑らかであり、スナップフック１００を接続したり切り離したりする際に引っかかる可能性があろう突出部がない。図６Ｄに同様に示されているのは、ロックリベット２３２が第１の本体プレート１０２のロック解除スロット１１０内でベース部材１３０に向かっていっぱいまで移動させられた様子である。更に、前部トリガ１７０及び後部トリガ１６０の位置付けは、ユーザが、スナップフック１００を支持構造体などに対して接続したり切り離したりしている間、適切な手の位置及び動きを維持することを可能にするため、従来のスナップフックよりも人間工学的に優れたスナップフック１００を提供する。
【００３８】
以上において簡単に説明されたとおりのスナップフック１００の１つの特徴は、接続リンク２００の設計である。図４に関して説明されたように、接続リンク２００の接続部２０４を結合しているヒューズピン２２０は、選択量の力を受けて破断するように設計されている。例えば、ランヤード又は命綱を介して本体接続孔２０３に結合されているユーザが落下した場合には、接続リンク２００にかかる落下の力がその内部のヒューズピン２２０を破断させることになり、接続リンク２００の接続部２０４を第１の本体プレート１０２及び第２の本体プレート１１２から解放する。これは、力をスナップフック１００の底部の近傍から中心枢動点（すなわち、中心リベット２３４の周りの枢動点）へ向け直すことによって、スナップフック１００に対する曲げ応力を低減する。図７に、別の関連特徴が示されている。一実施形態では、接続リンク２００は、ヒューズピン２２０が破断した時に、落下力、又は同様のものにさらされると、変形するように設計されている。これは、図７において、接続リンク内の屈曲部２１１として示されている。接続リンク２００のこの変形は、スナップフック１００が、限定するものではないが落下事象からの力などの力にさらされたこと、及びそれゆえ、スナップフック１００は再び使用されるべきではないことを視覚的に知らせる。一実施形態では、接続リンク２００は、落下事象の間に永久的変形を被るが、折れも分離もしない、高強度かつ延性のある材料のために作製される。
【００３９】
本明細書においては、特定の実施形態が例示され、説明されたが、同じ目的を達成するために計算された任意の構成を、示された特定の実施形態の代わりに用いることができることが当業者には理解されるであろう。本出願は、本発明の任意の適応例又は変形例を包括することを意図されている。したがって、本発明が特許請求の範囲及びその等価物によってのみ限定される点を明示するものである。
【図１Ａ】
0006647293.tif 000002
【図１Ｂ】
0006647293.tif 000003
【図２Ａ】
0006647293.tif 000004
【図２Ｂ】
0006647293.tif 000005
【図３】
0006647293.tif 000006
【図４】
0006647293.tif 000007
【図５】
0006647293.tif 000008
【図６Ａ】
0006647293.tif 000009
【図６Ｂ】
0006647293.tif 000010
【図６Ｃ】
0006647293.tif 000011
【図６Ｄ】
0006647293.tif 000012
【図７】
0006647293.tif 000013